(57)【要約】      （修正有）【課題】本発明は、反響音であるもんの鳴り時間が長い、新規おりんを提供すること。【解決手段】おりん本体部１１とおりん台部１２とを弾性を有する連結部材１３にて連結しておりん本体部１１とおりん台部１２とに間隙１４を設け、おりん台部１２は床面に載置するものであり、連結部材１３はおりん本体部１１を支持していて、おりん台部１２を床面に載置した状態にて、おりん本体部１１と床面とに間隙１５を有していることを特徴とする。  これにより、弾性振動しているおりん本体部１１が連結部材１３を弾性支持部として揺らぐので、反響音であるもんの鳴り時間を長くできる。【選択図】  図１
2006326115.tif 000002
【特許請求の範囲】
【請求項１】
おりん本体部とおりん台部とを弾性を有する連結部材にて連結しておりん本体部とおりん台部とに間隙を設け、
おりん台部は床面に載置するものであり、連結部材はおりん本体部を支持していて、おりん台部を床面に載置した状態にて、おりん本体部と床面とに間隙を有していることを特徴とするおりん。
【請求項２】
おりん本体部を器状に形成し、おりん本体部の外側頂部とおりん台部とを連結部材にて連結してあることを特徴とする請求項１記載のおりん。
【請求項３】
おりん本体部を器状に形成し、おりん本体部の内側底部とおりん台部とを連結部材にて連結してあることを特徴とする請求項１記載のおりん。
【請求項４】
おりん本体部に把持部を配設し、把持部を把持して振ると連結部材が弾性変形しておりん台部がおりん本体部に当たり打音を発することを特徴とする請求項３記載のおりん。
【請求項５】
打撃部にゴム材を被覆してあることを特徴とする請求項１〜４のいずれかに記載のおりんに用いるりん棒。
【発明の詳細な説明】
【技術分野】
【０００１】
本発明は、仏具の１つであるおりんに関する。
【背景技術】
【０００２】
従来おりんの鳴りは「かん・おつ・もん」の３種類の音から成ると言われる。
かんとは、おりんを鳴らす際におりんを叩く打音のことである。
おつとは、叩いた際のおりんの弾性振動による振動音のことである。
もんとは、弾性振動するおりんの中で反射し合う反響音のことである。
そして、反響音であるもんが、情緒を有し人の心や感情に左右する音である。
一般的におりん１は器状であり主に略おわん型である。仏壇の前やお墓の前でおりん１を鳴らす際には、図６に示すように、座布団３の上におりん１を乗せてりん棒２で叩いておりん１を鳴らしていた。
従来のおりん１の反響音であるもんの鳴りが不充分で、より長い反響音や余韻が望まれていた。
また、おりん１を叩くりん棒２が従来金属製であり、打音であるかんの金属音が耳ざわりとなっていた。
【０００３】
実用新案登録第３０５４６０７号公報に、りん台付きのおりんを開示するが、おりんをりん台に固定してあるため、もんの鳴りが不充分である。
【特許文献１】実用新案登録第３０５４６０７号
【発明の開示】
【発明が解決しようとする課題】
【０００４】
本発明は、反響音であるもんの鳴り時間が長い新規おりんの提供を目的とする。
【課題を解決するための手段】
【０００５】
本発明の技術的要旨は、おりん本体部とおりん台部とを弾性を有する連結部材にて連結しておりん本体部とおりん台部とに間隙を設け、おりん台部は床面に載置するものであり、連結部材はおりん本体部を支持していて、おりん台部を床面に載置した状態にて、おりん本体部と床面とに間隙を有していることを特徴とする。
おりん本体部とおりん台部とを弾性を有する連結部材で連結し、おりん台部を床面等に載置した場合におりん本体部と床面との間に隙間を有しているので、おりん本体部が連結部材の弾性振動にて揺らぐことになり、おりん本体部を叩いた際の弾性振動と振動音とが長くなる。
従って、本発明にて弾性を有する連結部材とは、線状でも薄い板状でもよく、おりん本体部が揺らぐものであればよい。
【０００６】
請求項２に記載の発明は、おりん本体部を器状に形成し、おりん本体部の外側頂部とおりん台部とを連結部材にて連結したので、おりんを床面に置くと器状のおりん本体部の開口部は上を向いた状態になる。
りん棒で打つとおりん本体部が連結部材を弾性支持部として揺らぐ。
【０００７】
請求項３に記載の発明は、おりん本体部を器状に形成し、おりん本体部の内側底部とおりん台部とを連結部材にて連結したので、おりんを床面に置くと器状のおりん本体部の開口部は下を向きおりん本体部の内側におりん台部が位置することになる。
【０００８】
請求項４記載の発明は、おりん本体部に把持部を配設し、把持部を把持して振ると連結部材が弾性変形しておりん台部がおりん本体部に当たり打音を発するので、おりん台部がりん棒の役割を兼ねる。
【０００９】
請求項５記載の発明は、打撃部にゴム材を被覆してあるので、おりんを叩いた際にはりん棒のゴム材が衝撃を緩和する。
【発明の効果】
【００１０】
弾性振動しているおりん本体部が連結部材を弾性支持部として揺らぐので、反響音であるもんの鳴り時間を長くできる。
そして、りん棒の打撃部にゴム材を被覆しておけば、おりんを強く叩いておりん本体部の弾性振動を大きくしても、ゴム材が叩く際の衝撃を緩和し衝撃音を小さくするので、おりん本体部を叩く音であるかんの音量を小さくし、反響音であるもんの鳴り時間を長くできる。
【００１１】
おりん本体部に配設した把持部を把持して振ると連結部材が弾性変形しておりん台部がおりん本体部に当たり打音を発するので、りん棒で叩くのと同じようにおりんを鳴らすことができる。そして、連結部材の付勢により、おりん台部はおりん本体部に当たらない間隙を設けた元の位置に戻り、おりん本体部の弾性振動を妨げないので、反響音であるもんの鳴りを損ねない。
おりん台部を器状の金属製にしておりんを鳴らした際には、おりん本体部とおりん台部とが共に鳴り、双方の反響音である２音のもんが共鳴し合い、より心地良い反響音であるもんの鳴り時間を長くできる。
また、おりん台部を木製等の非金属製にした場合には、おりん本体部を叩く音であるかんを柔らかい音にして、もんの鳴り時間を長くできる。
おりんを床面に載置した際にはおりん台部の鳴りは止むものの、おりん本体部が連結部材を弾性支持部として揺らぐので、反響音であるもんの鳴り時間を長くできる。
【発明を実施するための最良の形態】
【００１２】
図１に本発明に係るおりん１０を示し、（イ）は斜視図であり、（ロ）はａ−ａ線断面図であり、（ハ）はおりん１０を鳴らすために用いるりん棒９０である。おりん１０を鳴らした際のおりん１０の揺らぎをＡで示す。
このおりん１０はりん棒９０で叩いて鳴らす。
器状の略おわん型であるおりん本体部１１と、おりん台部１２と、を弾性を有する連結部材１３にて連結する。
おりん本体部１１と、おりん台部１２と、に台部間隙１４を設け、おりん台部１２は床面に載置する。
連結部材１３はおりん本体部１１の内側に配設し、器状のおりん１０とした場合に器状の底部中央から線状または板状の弾性部材１３を開口部に向けて延在し、その先におりん台部１２を連結する。
おりん本体部１１と、床面と、におりん間隙１５を有している。
図１（ロ）に示すようにおりん台部１２の床面側を曲面にしておけば、おりん１０を鳴らした際には、おりん１０の揺らぎを大きくでき、より反響音であるもんの鳴り時間を長くできる。
本実施例では連結部材１３にピアノ線を用いたが、実施の際は用途に応じた連結部材１３を用いるのが良い。
おりん台部１２は、木製でも金属製でもよいが、おりん本体部１１を安定的に支持できるものがよい。
りん棒９０は真鍮製であり打撃部にゴム材９１を被覆する。
従来のゴム被覆の無いりん棒に対して打音であるかんの金属音が弱くなる。
また、図２に示すおりん２０ように、器状の略おわん型であるおりん本体部２１の外側頂点部に弾性を有する連結部材２３を配設するのも良い。
本実施例では器状の略おわん型であるおりん本体部１１のおりん１０を示すが、図３に示す（イ）円錐型おりん３０、（ロ）円柱型おりん４０、（ハ）略球型おりん５０等のように望みの形状にして、望みの鳴りにするのが良い。
また、図４に示すおりん６０のようにおりん本体部６１に宗派紋等の意匠を施す意匠部７０を設けるのも良い。
【００１３】
図５に本発明に係る他の実施例としておりん８０を示し、（イ）は斜視図であり、（ロ）はｂ−ｂ線断面図である。おりん８０の設置床面を想像線で示す。おりん８０を鳴らしたままの状態で設置した際のおりん８０の揺らぎをＢで示し、おりん台部８２がおりん本体部８１に当たり打音を発しておりん８０を鳴らす際のおりん台部８２の動きをＣで示す。
このおりん８０は片手で持って鳴らすことができ、りん棒不用でありながら反響音であるもんの鳴り時間が長い。
器状の略おわん型であるおりん本体部８１の外側頂部に棒状の把持部８６を配設する。
おりん本体部８１と、おりん台部８２と、を弾性を有する連結部材８３にて連結する。
おりん本体部８１と、おりん台部８２と、に台部間隙８４を設け、おりん台部８２は床面に載置することも可能な器状になっている。
連結部材８３はおりん本体部８１の内側に配設し、底部中央から開口部に向けて延在し、その先におりん台部８２を連結する。
おりん本体部８１と、床面と、におりん間隙８５を有している。
【図面の簡単な説明】
【００１４】
【図１】本発明に係るおりんであって、おりん本体部の内側からおりん台部を連結した例である。
【図２】本発明に係るおりんであって、おりん本体部の外側頂部からおりん台部を連結した例を示す。
【図３】本発明に係るおりんであって、おりん本体部の形状の展開例を示す。
【図４】本発明に係るおりんであって、おりん本体部外側頂部に紋意匠を形成した例を示す。
【図５】本発明に係る他のおりんであって、把持部を設けた例である。
【図６】従来のおりんの例を示す。
【符号の説明】
【００１５】
１０      おりん
１１      おりん本体部
１２      おりん台部
１３      連結部材
１４      台部間隙
１５      おりん間隙
２０      おりん
２１      おりん本体部
２３      連結部材
３０      円錐型おりん
４０      円柱型おりん
５０      略球型おりん
６０      おりん
６１      おりん本体部
７０      意匠部
８０      おりん
８１      おりん本体部
８２      おりん台部
８３      連結部材
８４      台部間隙
８５      おりん間隙
８６      把持部
９０      りん棒
９１      ゴム材
【図１】
2006326115.tif 000003
【図２】
2006326115.tif 000004
【図３】
2006326115.tif 000005
【図４】
2006326115.tif 000006
【図５】
2006326115.tif 000007
【図６】
2006326115.tif 000008